Podtech/llm-jp-corpus-v4-ja_patent huggingface dataset:
(57)【要約】【課題】数種類の棒状小物の中から使用目的のものの識別、選択、そして出し入れを容易に安全に行えるとともに収納時の美観も提供することを課題とする。【解決手段】上部に蓋を有する本体ケースに使用目的の棒状小物を識別しやい横向きに収納し、回転させて識別、選択して出し入れすることのできる回転可動保持具を設け、外観の形状も緩やかな美しい曲線を有することを特徴としている。【選択図】図１
2007275531.tif 000002
【特許請求の範囲】
【請求項１】
上部に蓋を有する本体ケースと回転可動手段が付設された円筒形状や回転可動に支障のない任意の形体を横に倒した状態の回転可動保持具から構成され、その前記回転可動保持具の外周部に棒状小物を横向きに収納して出し入れするための複数の保持部が設けられていることを特徴とする回転式収納器である。
【請求項２】
前記本体ケース前面部に小物を入れるための収納部を設けたことを特徴とする請求項１記載の回転式収納器である。
【請求項３】
前記本体ケースと前記蓋、そして前記回転可動保持具は透明を含む無彩色や有彩色の配色を施したことを特徴とする請求項１または請求項２記載の回転式収納器である。
【請求項４】
前記本体ケース及び前記蓋は緩やかな曲線形状を有することを特徴とする請求項１から請求項３記載の回転式収納器である。
【発明の詳細な説明】
【技術分野】
【０００１】  この発明は、棒状小物の回転式収納器に関する。
【背景技術】  従来、棒状小物、例えば筆記具や工具類を収納するものとしてペン立てや工具ケースなどがあり前記筆記具は前記ペン立てなどに縦向きに収納して出し入れし、また前記工具類では前記工具ケースなどに鋭利な先端が上を向いた状態で収納して出し入れするというものが少なくない。【０００２】また前記ペン立てなどは、雑多な文具が混在して収納されていることが多々あった。
【発明の開示】
【発明が解決しようとする課題】  しかしながら、以上の技術によれば、棒状小物の筆記具や工具類を数種類の中から使用したいものの識別、選択そして出し入れがしにくく、特に工具類などの先端の尖ったものの場合には怪我の危険性があった。【０００３】また前記ペン立てなどは雑多な文具が混在して収納されていることがあり見栄えの良いものではなかった。そこでこの発明は前記棒状小物の識別、選択そして安全な出し入れができ、収納時の美観を備えた回転式収納器を提供することを課題とする。
【課題を解決するための手段】
【０００４】  以上の課題を解決するために、本発明による回転式収納器は、上部に蓋を有する本体ケースと回転可動手段が付設された円筒形状や回転可動に支障のない任意の形体を横に倒した状態の回転可動保持具から構成され、前記回転可動保持具の外周部に棒状小物を横向きに収納して出し入れするための複数の保持部が設けられていることを特徴とする回転式収納器である。【０００５】また前記本体ケースの前面部に小物収納部を設け、前記蓋そして前記回転可動保持具は、透明を含む無彩色や有彩色の心地良い配色が施されている。また前記本体ケース及び前記蓋は緩やかな曲線形状を有することを特徴としている。
【発明の効果】
【０００６】  本発明の回転式収納器によれば、棒状小物を横向きに収納し、保持具が回転可動式のため識別、選択そして出し入れが容易にでき、特に前記棒状小物である工具類の場合においては鋭利な先端に触れることがないので安全に出し入れができる。【０００７】また前記棒状小物の筆記具の場合では雑多な文具の混在がなく、また本体ケースと上部の蓋そして回転可動保持具を心地良い配色にし、緩やかな美しい曲線を有する前記蓋及び前記本体ケースの形状から美観を与えることができる。
【発明を実施するための最良の形態】
【０００８】本発明の回転式収納器を図を基に説明する。図１は、本発明の回転式収納器の実施例を示す斜視図である。これは棒状小物７である筆記具を収納する場合の形状である。本体ケース１に回転可動手段が付設された回転可動保持具２が本体ケース１の両内側に設けた部材等により設置されている。
回転可動保持具２はウレタン、ゴム等の耐久性、弾力性のある材質でその外周部に棒状小物７を収納する切り欠き状の保持部２ａが複数設けてある。【０００９】前記保持部２ａは実施例に示されるものでなく他の任意の手段を用いることもできる。
そして指挿入部２ｂは取出しを容易にするための窪みである。上部の蓋３は取っ手３ａを有し、開閉式であるがヒンジ３ｂがなく取り外す形態でもよい。また図２は本体ケース１の前面部に小物を入れるための小物収納部４を設ける場合の第二実施例である。図３は本発明の第三実施例を示す斜視図である。基本的な部分は第１実施例と同じなので違う部分について説明する。【００１０】これは棒状小物７である工具類を収納する場合の形状である。取出し時、工具類の先端が確認できるように回転可動保持具２を工具類の先端が納まる部分手前までとし、工具類の先端が納まる部分の径を小さくし、工具先端が表れるようにする。またグリップ部を収納するグリップ収納部５を設ける。本体ケース１に、持ち運びの際肩ひもを取り付けるための肩紐取付け具６を有する。
「実施形態の効果」【００１１】この実施形態によれば、棒状小物を横向きに収納し保持具が回転可動式なので数種類の中から識別、選択そして出し入れが容易で先端が鋭利なものの場合には安全に出し入れができ、美しい緩やかな曲線形状と本体ケース及び蓋に施した配色から美観も提供することができる。
【図面の簡単な説明】
【００１２】
【図１】この発明の第一実施形態を示す斜視図である。
【図２】この発明の第二実施形態を示す斜視図である。
【図３】この発明の第三実施形態を示す斜視図である。
【図４】この発明の第一実施形態の蓋を閉めた側面図である。
【図５】この発明の第一、第二、第三実施形態の回転可動保持具の断面図である。
【符号の説明】
【００１３】１  本体ケース    ２  回転可動保持具    ２ａ  保持部    ２ｂ  指挿入部
３  蓋    ３ａ  取っ手    ３ｂ  ヒンジ    ４  小物収納部
５  グリップ収納部    ６  肩紐取付け具    ７  棒状小物
【図１】
2007275531.tif 000003
【図２】
2007275531.tif 000004
【図３】
2007275531.tif 000005
【図４】
2007275531.tif 000006
【図５】
2007275531.tif 000007
(57)【要約】【課題】本発明は、電極ロッドを有する溶接トーチによる、電気溶接作業において溶接トーチを保持した手の指でトーチスイッチを押したまま、他の指で電流調整器の電流調整ロッドを筒状握手に対し前後動作させることによって、溶接トーチを支持した手の指で溶接実施作業を、中断することなく溶接電流調整を、行うことが出来る電気溶接機用トーチ。【解決手段】電極ロッドを有するトーチヘッドと、このトーチヘッドを先端に装備すると共に直線摺動する電流調整器を設け、且つ後端よりリード線を引き出した筒状握手とで成した、電気溶接機用トーチ。【選択図】図2
2007275919.tif 000002
【特許請求の範囲】
【請求項１】
電極ロッドを有するトーチヘッドと、このトーチヘッドを先端に装備すると共に後端よりリード線を引き出した筒状握手と、筒状握手の先端と後端とを結ぶ線に対し平行に直線摺動式電流調整器を設け、トーチスイッチを押したまま直線摺動式電流調整器より突出した操作ロッドを前後動作させ溶接電流の調整を可能にしたことを特徴とする電気溶接機用トーチ。
【発明の詳細な説明】
【技術分野】
【０００１】
本発明は、電極ロッドを有する電気溶接作業において、溶接作業中に溶接ビートの溶融状態を監視しながら溶接電流の調整を、溶接トーチを保持した手で、容易に、溶接電流の調整を行う電気溶接機用トーチ。
【背景技術】
【０００２】
この種電気溶接機用トーチとして下記特許文献が存在する。
即ち図1の斜視図に示す如くトーチの筒状握手イの先端近傍の側部に電流調整器ロを装備し、その電流調整用の回転操作円板ハを指先にて回転させるようにしている。
而して、筒状握手イの先端と後端とを結ぶ線、所謂長手方向と平行(前後方向)に回転させるようにしている。
ところが、実際に回転操作円板ハを指先にて回転させるとなると、親指はトーチスイッチニを押えなければならないので、他の指先にて回転させなければならいが、この保持の方法では親指でトーチスイッチニを押したまま回転操作円板ハを指先にて回転させることは不可能で、溶接実施作業を中断することになる。勿論電流調整器ロを反対側即ち、手のひら側に位置させることも考えられるが、これでは指先で触れることが出来ず、結局は同じ様に、溶接実施作業を中断して回転操作円板ハを回転させることとなる。
溶接実施作業を中断することは、溶接ビートの継ぎ目を増加させる結果となるため、溶接ビートの継ぎ目の欠陥として、ピンホール等の溶接不良を招きやすい。
更に電流調整器ロ内部の回転式可変抵抗器に回転操作円板ハが直接取り付けてある為に操作角度は約1回転となる。その為回転操作円板ハを操作する指は長手方向に何度も往復する必要がある。
【特許文献１】登録実用新案第3030953
【発明の開示】
【発明が解決しようとする課題】
【０００３】
本発明は、電極ロッドを有する溶接トーチによる、電気溶接作業において溶接トーチを保持した手の指でトーチスイッチを押したまま、他の指で電流調整器の電流調整ロッドを筒状握手に対し前後動作させることによって、溶接トーチを支持した手の指で溶接実施作業を、中断することなく溶接電流調整を、行うことが出来る電気溶接機用トーチ。
【課題を解決するための手段】
【０００４】
電極ロッドを有するトーチヘッドと、このトーチヘッドを先端に装備すると共に筒状握手の先端と後端とを結ぶ線に対し平行に前後動作する操作ロッドを備えた電流調整器を筒状握手の先端と後端とを結ぶ線に対し、平行に設け、操作ロッドをトーチスイッチを押したまま前後動作させ溶接実施作業を中断することなく溶接電流調整をすることが出来る電気溶接機用トーチ。
【発明の効果】
【０００５】
（１）請求項１により、筒状握手の先端と後端とを結ぶ線に対し、平行に前後動作する操作ロッドを備えた電流調整器を装備し、トーチスイッチを押したまま、他の指で電流調整器に備えた操作ロッドを操作できるため溶接実施作業を中断することなく溶接電流を最弱から最強まで調整することが可能になる。
【発明を実施するための最良の形態】
【０００６】
以下発明の実施の形態を示す図面に基づき説明する。
【実施例１】
【０００７】
図2に示す如く、電気溶接機用トーチの使用状態の斜視図であって、電流調整器1を設けた筒状握手2の先端2aにトーチヘッド3を装備しその後端にはパワーケーブル4を接続している。而してこのトーチヘッド3には、トーチキャップ5を締緩することにより摩滅に応じて突き出し長さを調節する事の出来る電極ロッド6を備えその外部には、ノズル7が取り付けられている。
更にこの筒状握手先端2a付近にトーチスイッチ8を装備し、筒状握手後端2bには電流調整器1のリード線1aとトーチスイッチ8のリード線8aを引き出し、且つパワーケーブル4とリード線1aとリード線8aを収束し保護するためケーブルカバー9が筒状握手後端2bに締付接続される。
更にこの電流調整器1には筒状握手の先端と後端とを結ぶ線に対し平行に前後動作する操作ロッド10を備えその操作ロッド10外周には押し込まれた操作ロッド10を押し戻すための圧縮ばね11と操作ロッド先端に圧縮ばね11の抜け止め12が装備される。
図3に示す如く電気溶接機用トーチの断面図であって、トーチヘッド3にトーチキャップ5を締付ける事により電極ロッド6を挿入したコレット13を傾斜部に押し付け電極ロッド6を固定し且つ、トーチヘッド3にノズル7を装備するためのコレットボディー14がトーチヘッドにねじ込まれている。
電流調整器1内部には直線摺動式可変抵抗器15が内蔵さその直線摺動式可変抵抗器15には操作ロッド10が内蔵される。
【図面の簡単な説明】
【０００８】
【図１】従来例の電気溶接機用トーチの斜視図
【図２】本発明電気溶接機用トーチの使用状態を示す斜視図
【図３】同上の断面図
【符号の説明】
【０００９】
1  電流調整器
1a電流調整器リード線
2  筒状握手
2a 筒状握手先端
2b 筒状握手後端
3  トーチヘッド
6  電極ロッド
トーチスイッチ
10 操作ロッド
X  筒状握手の先端と筒状握手後端結んだ線
【図１】
2007275919.tif 000003
【図２】
2007275919.tif 000004
【図３】
2007275919.tif 000005
(57)【要約】      （修正有）【課題】ビニール袋と手シャベルを携帯して用便処理をしているが、一度地面や路面に排泄させた後での処理方法のため、排泄面を汚損し衛生的にも課題が残る。【解決手段】用便袋Ｃをセットした状態で携帯する構造にし、更にセットが素早く正確にできるよう、便器Ｂにセット用ハンドルＡを装着する。用便袋Ｃには綴じ紐を付け、便器セット用の穴を付け容易にセットができ、用便後は綴じ紐を引くだけで自動的に、便器Ｂからはずれ用便袋Ｃが綴じられる構造になっています。ペットトイレが必要なとき素早く取り出せる構造の「携帯バック」にし、爽快なデザインの物として「トイレバック」のマイナスイメージを払拭する。【選択図】図１
2007275033.tif 000002
【特許請求の範囲】
【請求項１】
開閉口部に紐を付けた用便袋を取り外しできる便器につけ、その便器を素早くペット犬にセットできるペット用便器と用便袋と携帯用バックの携帯用ペットトイレの仕組みとインターネットや通信販売を含む営業方法。
【請求項２】
請求項１の便器は用便袋をセットして携帯し、ペット犬の排泄前に素早くセットできるハンドルをつけ、ペット散歩者にはペットトイレ携帯者のの判別が容易にできる表示をしたシステムの携帯用ペットトイレの普及と営業方法。
【請求項３】
請求項１の用便器用便袋携帯用バックは、ペットや使用者の好みに合わせ多種類を製作、用便袋は清潔な着色をし、ペットトイレ携帯バックにはマスコットやマスコット、アイドルマークなどをデザイン表記装飾し、爽快な散歩服装にした、携帯用ペットトイレとその営業方法。
【発明の詳細な説明】
【技術分野】
【０００１】  本案は、ペット犬の散歩時の糞尿処理に関することで、公園の植え込みには必ず犬の排泄物の処理を徹底して頂くための立て札がたてられています。
しかし、マナーに欠ける飼育者がいて、路上や公園の植え込みなどに未処理のまま放置されている物があちこちに見られます。
本案は、排泄される前にセットできる、携帯用ペットトイレの発明です。
【背景技術】
【０００２】  従来の犬散歩時の糞尿処理具は、ビニール袋と手シャベル携帯方式で、それ以外のペット排泄物処理具を携帯した散歩者を、拝見したことがありません。
【考案が解決しようとする課題】
【０００３】  第一の課題は、現在行われているペット犬などの用便を、路上や公園の地面に直接行う方式を止めることと。第二は、ペット愛好家が容易に使用でき携帯に便利なペット犬などのトイレを製作すること。第三は、ペット散歩には必ずペットトイレを携帯させる規定を設けることです。
【考案が解決するための手段】
【０００４】  第一は、従来の用便の事後処理方式を改め、ペットトイレを製作しトイレの中に行う方法にします。
第二は、携帯に便利でペットに素早くセットできる、便器を発明し更に糞尿処理が綴じひもを引くだけで閉まる、糞入れ用便袋を発明して解決しています。
【０００５】  第三は、ペット犬の散歩には必ず用便を伴うので、立て札を公園に何本立てても問題は解決できません。それは、携帯に便利なペットトイレが無かったことと、トイレ入れ携帯バックがなく、ビニール袋手シャベル姿であったことなどによります。
本発明は、これらを製作し美しい愛犬散歩ルックを創作し解決しています。
【発明を実施するための最良の形態】
【０００６】  考案の実施の形態を図面により説明します。
図１，はペット犬などの携帯トイレの一例の説明見取り図です。
Ａ，ハンドル。Ｂ，用便器。Ｃ，用便袋。Ｄ，用便袋の掛け具。Ｅ，閉口紐。Ｆ，用便袋の掛け具。Ｇ，ハンドルと用便器の接続部。で、この接続心棒で用便器の角度を調整します。また、用便袋は便器にセットし、ハンドルを折り畳んで便器に合わせ、図３の携帯バックにいれて、散歩に携帯します。
図２，は携帯用の用便袋の一例の説明見取り図です。
Ａ，用便袋。Ｂ，綴じ紐。Ｃ，折り返し目安線。Ｄ，用便器への掛け穴。で、この穴を図１のＤ，に掛けます。
図３，は、ペットトイレ携帯バックの一例の見取り図です。
Ａ，携帯バック。Ｂ．提げ紐。Ｃ，マスコット。Ｄ，携帯バックの口。Ｅ，携帯バック蓋。で、散歩中は素早く取り出せるよう、開けたままにしておきます。Ｆ，ハンドル。図１のＡで、散歩中は素早く取り出せるよう、「ハンドル」を携帯バックの外に出して「ペットトイレ」を入れます。
【考案の効果】
【０００７】  本考案は上述のとおりであります。
【０００８】  核家族、少子社会、高齢者が増えペットを飼う家が増加していくものと推定されます。それにつれてペットの朝夕の散歩も、間違いなく増加することでしょう。
可愛いペットとの朝夕の散歩は、飼育者にとってはこの上ない楽しい時間であるはずです。しかし他人に迷惑を掛けたのでは困ります。
本発明の携帯用ペットトイレは、排泄を地面にしてからではなく、トイレに排泄させるシステムのものです。公共の場を清潔にし更にペット散歩を、より一層楽しくする効果が上げられることは間違いのない事実です。
【図面の簡単な説明】
【０００９】
【図１】はペット犬などの携帯トイレの一例の説明見取り図です。
【図２】は携帯用の用便袋の一例の説明見取り図です。
【図３】は、ペットトイレ携帯バックの一例の見取り図です。
【符号の説明】
図１，に．Ａ，Ｂ，Ｃ，Ｄ，Ｅ，Ｆ，Ｇ，記号使用。
図２，に．Ａ，Ｂ，Ｃ，Ｄ，記号を使用。
図３，に．Ａ，Ｂ，Ｃ，Ｄ，Ｅ，Ｆ，記号を使用しました。
【図１】
2007275033.tif 000003
【図２】
2007275033.tif 000004
【図３】
2007275033.tif 000005
(57)【要約】【目的】  犬舎の出入り口周辺の暑さ対策及び、寒さ対策を施す構成を提供するものである。【構成】  保持枠により保持されて床として機能する可動床を設け、可動床を撤去することにより犬舎１が設置されている設置面２を露呈させることで屋根３と外壁４により日照から回避された設置面２にペット犬を滞在させる様にした犬舎１であって、保持枠により保持されて床として機能する可動床の構成を撤廃し、保持枠の代替として設置面２に至る下方まで表面を湾曲させた壁を形成する枠５を設け、設置面２から起算して標準的な高さ寸法の出入り口６を設ける様にする。【選択図】図１
2007275037.tif 000002
【特許請求の範囲】
【請求項１】
保持枠により保持されて床として機能する可動床を設け、可動床を撤去することにより犬舎（１）が設置されている設置面（２）を露呈させることで屋根（３）と外壁（４）により日照から回避された設置面（２）にペット犬を滞在させる様にした犬舎（１）であって、保持枠により保持されて床として機能する可動床の構成を撤廃し、保持枠の代替として設置面（２）に至る下方まで表面を湾曲させた壁を形成する枠（５）を設け、設置面（２）から起算して標準的な高さ寸法の出入り口（６）を設ける様にした犬舎。
【発明の詳細な説明】
【技術分野】
【０００１】  本発明は暑さ対策及び、寒さ対策を施した犬舎に関するものである。
【背景技術】
【０００２】  犬舎内に設置面が露呈され、ペット犬が露呈された設置面で快適に過ごせる様にしたものには特開２００２−１０２号公報がある。
【発明が解決しようとする課題】
【０００３】  特開２００２−１０２号公報のものは保持枠により保持されて床として機能する可動床を設け、可動床を撤去することにより犬舎が設置されている設置面を露呈させることで屋根と外壁により日照から回避された設置面にペット犬を滞在させる様にすることで暑さ対策を施した犬舎である。出入り口に接する状態で保持枠を設けることで犬舎内に露呈される設置面の風通しは良くなる効果があるが、その反面、日照が控える中での犬舎内の室温上昇もある程度は避けられない。その一方でペット犬は飼い主との散策の他、鎖に繋がれることでそのエリア内において運動量は確保できるため、その観点からは特開２００２−１０２号公報で示す様に可動床を保持枠に設置して増床することの必要性も十分なものでは無い。
以上のことで出入り口の高さ寸法を抑える様にして出入り口の範囲を減少させることができれば夏等の暑い日においては日照を控える度合いが高まり、或いは冬等の寒い日においては防寒性が高められることによりその構成を提供するものである。
【課題を解決するための手段】
【０００４】  保持枠により保持されて床として機能する可動床を設け、可動床を撤去することにより犬舎１が設置されている設置面２を露呈させることで屋根３と外壁４により日照から回避された設置面２にペット犬を滞在させる様にした犬舎１であって、保持枠により保持されて床として機能する可動床の構成を撤廃し、保持枠の代替として設置面２に至る下方まで表面を湾曲させた壁を形成する枠５を設け、設置面２から起算して標準的な高さ寸法の出入り口６を設ける様にする。
【発明を実施するための最良の形態】
【０００５】  図１に示すものは特開２００２−１０２号公報で示された構成に基づくものである。この図においては保持枠により保持されて床として機能する可動床の構成を撤廃し、保持枠の代替として設置面２に至る下方まで表面を湾曲させた壁を形成する枠５を設けることで犬舎１内の設置面２を露呈させ、屋根３と外壁４により日照から回避された設置面２にペット犬を滞在させる様にしたものである。つまり、特開２００２−１０２号公報のものは可動床を保持枠に設置する形態もあるため、可動床面から起算して標準的な高さ寸法の出入り口が設けられるが、これに対して本発明のものは可動床の機能を活用しないため、図１に示す様に設置面２から起算して標準的な高さ寸法の出入り口６が設けられている。これにより出入り口６の高さ寸法は特開２００２−１０２号公報で示す出入り口の高さ寸法に対し、設置面２から起算して可動床があるべき可動床面の高さ寸法分が差し引かれたものになり、出入り口の高さ寸法を抑える様にして出入り口の範囲を減少させることができることになる。つまり、出入り口６の構成により夏等の暑い日においては日照を控える度合いが高まり、或いは冬等の寒い日においては防寒性が高められることになる。
【実施例】
【０００６】  但し、前記で示す様に定期的な散策が行われない、或いは出入り口を閉ざされる、又は鎖の長さが抑えられる等で運動不足に陥る他、狭所によりストレスを受け易いペット犬の場合は特開２００２−１０２号公報の様に増床可能な機能を持つ犬舎を優先して選択すべきである。つまり、本発明は床７が寝床と休息のために使用されることを主な目的とし、その旨で暑さ対策及び、寒さ対策の推進を目指すものである。
又、出入り口６の上部においては出入り口６の形状に沿って庇８を設けることも適切である。
又、図１においては犬舎１内に露呈される設置面２上方の屋根３の高さは設置面２を基凖にして低く設定すると共に、床７上方の屋根３の高さは床７面を基準にして高く設定している。
【発明の効果】
【０００７】（ａ）  出入り口６周辺の暑さ対策及び、寒さ対策としては出入り口６に扉を設けることにより効果は発揮されるが、ペット犬は扉の操作が不可能である事情の中で、本発明により犬舎１内に露呈される設置面２の活用を維持しつつ出入り口６の範囲を減少させることが可能である。
（ｂ）  出入り口６の範囲を減少させることで外界からの熱の遮蔽効果が期待できるため、例えば暑く、且つ無風の日等は効果的である。
（ｃ）  本発明のものは出入り口６に扉を設ける構成では無いが、床７は出入り口６から奥まった位置にあるために犬舎１内のペット犬が日照や風雨を直接的に被る懸念は無い。
【図面の簡単な説明】
【図１】  本発明の正面透視図
【符号の説明】
１  犬舎              ２  設置面              ３  屋根
４  外壁              ５  枠                  ６  出入り口
７  床                ８  庇
【図１】
2007275037.tif 000003
(57)【要約】【課題】  釣による従来の錘は、釣針や釣り糸に取付けされるもので、ワ−ムやなま餌に釣り人が任意に直説取付けできるものが少なく、現状の直説取付けできるものでは重量や形が制約されてしまい、対象魚を釣るためにワ−ムやなま餌の沈下速度や沈下姿勢、必要な水中姿勢を任意に設定するのが困難であった。【解決手段】  本発明を使用することにより、小さなワ−ムやなま餌に重量の有る錘を釣針や釣り糸に干渉されること無く、任意の場所に取付けされることが出来るので、沈下速度や沈下姿勢を任意に安易に設定でき、釣果を上げる。本発明に錘以外の中通し浮子を取付けすることにより、ワ−ムやなま餌の水中姿勢を対象魚の状況に合わせて設定し釣果を上げる。【選択図】図１
2007275036.tif 000002
【特許請求の範囲】
【請求項１】
金属や樹脂によるコイル状の部分を有する釣り用錘取付け具であって、ワ−ムやなま餌の任意の部分にネジ込むことで固定できることを特徴とする。
【請求項２】
金属や樹脂による線状部分には、従来からの中通し錘や中通し浮子を通して、線状部分先端を任意加工することで錘や浮子を止めて、釣果を上げるための状況に合わせたワ−ムやなま餌の重量や浮力を調節できることを特徴とする。
【発明の詳細な説明】
【技術分野】
【０００１】本発明は、釣り用錘を釣針や釣り糸に干渉されること無く、ワ−ムやなま餌に直説取り付ける器具と錘の提供である。
【背景技術】
【０００２】従来の釣り用錘は、釣針や釣り糸に取り使用されるものが多く、取付け位置においても自由度が無かった。【０００３】一部ではワ−ムやなま餌の内部に挿入して使用するものも有るが、ワ−ムやなま餌の容積に左右されるのが現状である。【０００４】ワ−ムやなま餌に容積以上の錘を付けることができず、沈下速度や沈下姿勢の調節に限りが有った。
【発明の開示】
【発明が解決しようとする課題】
【０００５】釣の仕掛けにおいて、ワ−ムやなま餌で錘を使用する場合に釣針や釣り糸に干渉されること無く、ワ−ムやなま餌の任意の部分に直説取付けを安易にし、沈下速度や沈下姿勢を簡単に調節できることを目的とするものである。
【課題を解決するための手段】
【０００６】金属や樹脂でコイル状のネジ込み部分（図１の１）を持った線状部分（図１の２）に従来からの中通し錘を通して、先端部分を任意加工して錘が抜けないようにする。【０００７】その時、先端部分を折り曲げて、ワリビシ錘（従来からの切り込み入り錘）等を使用して止めても良い。（図２）【０００８】ワ−ムやなま餌の任意の部分に沈下速度や沈下姿勢を考え、錘を通した本発明品のコイル部分をネジ込み使用する。【０００９】本発明は、錘を前提としているが、従来の中通し浮子を本発明の線状部分（図１の１）に通して、ワ−ムやなま餌の水中姿勢を調整しても良い。
【発明の効果】
【００１０】ワ−ムやなま餌を使用し釣をする上で、餌となるワ−ムやなま餌の沈下速度や沈下姿勢を最良の状態に持っていくことが出来るので、釣果を上げることが出来る。【００１１】釣針や釣り糸に干渉されずに、餌となるワ−ムやなま餌に任意の部分に錘が付けられることにより、ワ−ムやなま餌の動きを妨げにくいので釣果が上がる。
【発明を実施するための最良の形態】
【００１２】図２の様に、釣鐘型や球形等の中通し錘に本発明を装着し、ワ−ムやなま餌にコイル部分（図１の１）をネジ込み使用する。【００１３】図３の様に、本発明の線状部分（図１の２）を任意の重量や形の錘に固定して一体化し使用する
【図面の簡単な説明】
【００１４】
【図１】本発明の全体図
【図２】本発明に中通し錘を固定した状態
【図３】本発明を利用した製品図
【符号の説明】
【００１５】１  金属や樹脂によるコイル部分
２  金属や樹脂による線状部分
【図１】
2007275036.tif 000003
【図２】
2007275036.tif 000004
【図３】
2007275036.tif 000005
(57)【要約】      （修正有）【課題】従来利用価値がないとして廃棄処分されていたブナザケやソーダカツオなどの、有効利用方法の提供。【解決手段】魚肉を主原材料として、畜肉の脂身、繊維状大豆蛋白、澱粉、食塩、調味料、香辛料、着色料など、及び少量の紹興酒とサイクロデキシトリンとを混ぜ合わせ、ケーシングに充填する。次いで、ケーシング済みのものを高温で熱風乾燥し、温燻処理を施し、高温の蒸気にさらした後、再び高温で熱風乾燥処理し、２０℃にて４５時間程度静置する工程を行って魚肉サラミを得る。紹興酒及びサイクロデキストリンを添加することで魚の臭気をかなり抑えられる。【選択図】図１
2007275039.tif 000002
【特許請求の範囲】
【請求項１】
ブナザケやソーダカツオ等の名称で呼ばれてこれまで有効利用されていなかった魚肉のすり身を主原料とし、畜肉の脂身、繊維状大豆蛋白、澱粉、食塩、調味料、香辛料、着色料を加え、更に少量の紹興酒及びサイクロデキストリンを加えて、混練したものをケーシングに充填することを特徴とする魚肉サラミの製造方法。
【請求項２】
請求項１記載のケーシング済みのものを８０℃にて７０分間熱風乾燥し、７０℃にてサクラチップの煙にて温燻し、ケーシングの中心温度が７５℃になるように１５分間蒸気にさらし、再び８０℃にて熱風乾燥処理し、２０℃の空気にて４０〜４５時間処理する工程を行うことを特徴とする魚肉サラミの製造方法。
【発明の詳細な説明】
【技術分野】
【０００１】  本発明は魚肉サラミの製造技術に関し、特に従来は破棄されていた魚肉又は規格外のために市場には出ずに飼料などに廻っていた魚肉を有効利用した魚肉サラミの製造技術に関するものである。
【背景技術】
【０００２】  一般にサラミは豚の挽肉に塩やラードに、香辛料、調味料、ラム酒などを混ぜ、腸詰めしてから、乾燥熟成を行って得たものに付けられた名称である。その後、牛肉でつくられたサラミや牛と豚の合い挽き肉でつくられたサラミも登場するようになった。動物の肉の代わりに魚の肉を用いる魚肉サラミのアイデアも散見される様になってきている。特許文献１では、魚肉フレークをあらびき状に加工した後、魚肉すり身と混合して、ケーシングに充填してあらびき状魚肉ソーセージを製造する技術が開示されている。
【特許文献１】特開平８−２５６７３４号公報
【特許文献２】
【発明の開示】
【発明が解決しようとする課題】
【０００３】  栄養価の高い魚肉を用いた食品は数多くあるが、魚肉を用いた場合には、魚特有の臭みを消すのが困難であった。又、従来利用価値がないとして廃棄処分されていた魚肉や規格外であるとして魚市場には出ずに、飼料などに回されている魚も数多く、このようなこれまで利用されていなかった魚肉の有効利用が求められていた。
【課題を解決するための手段】
【０００４】  本発明はそのような状況に鑑み、なされたもので、鮭や鰹などの魚肉でこれまで廃棄されていた部分、又は大きさが規格外であるという理由で飼料などに回されていた魚の肉を主原材料として利用し、畜肉の脂身、繊維状大豆蛋白、澱粉、食塩、調味料、香辛料、着色料など及び少量の紹興酒とサイクロデキシトリンとを混ぜ合わせ、ケーシングに充填する。次いで、ケーシング済みのものを高温で熱風乾燥し、温燻処理を施し、高温の蒸気にさらした後、再び高温で熱風乾燥処理し、２０℃にて４５時間程度静置する工程を行って魚肉サラミを得る。
魚肉を利用した食品は数多くあるが、簡単な方法でしかも安価に魚特有の臭みを消すことは簡単ではなかった。本発明者は鋭意研究を進め、少量の紹興酒及びサイクロデキストリンを添加することで魚の臭気をかなり抑えられること見いだし、本発明を完成させた。
【発明の効果】
【０００５】  限りある資源を有効に活用することができるようになる。魚の廃棄物の量を減らすことができる。
【発明を実施するための最良の形態】
【０００６】  これまで有効に利用されてこなかった魚肉を用いて、畜肉の脂身、繊維状大豆蛋白、澱粉、食塩、調味料、香辛料、着色料などを加え、少量の紹興酒及びサイクロデキストリンを加えて、練り合わせたものをケーシングに充填する。このケーシング済みのものを熱風乾燥し、温燻処理後、高温の蒸気で処理し、再び熱風乾燥処理後、２０℃の空気中に静置処理をすることで魚肉サラミを得ることができる。
魚特有の臭みを消すために添加する紹興酒の量は、全体の重量の０．５％から３％が好ましく、特に１％から２％の範囲が好ましい、サイクロデキストリンの添加量は、０．０５％から０．５％が好ましく、特に０．１％から０．３％が好ましい。又、原材料の混練物を詰めるケーシング材料としてはそのまま食べることが可能なコラーゲンを用いるのが好ましい。
魚肉サラミを得るためには、温燻などの処理をする必要があるが、色々と検討した結果、熱風乾燥工程→温燻工程→スチーム・コンベクション工程→熱風乾燥工程→冷風乾燥工程にて処理すると良好な魚肉サラミを製造できる。各工程の最適温度は、熱風乾燥の場合は、８０℃±２℃にて最初は７０分間、二度目は３０分間、温燻処理は７０℃にて、サクラチップの煙で６０分間燻すと最も良好な結果を得ることができる。蒸気処理はサラミの中心部の温度が７５℃になるようにして１５分間処理し、最後は２０℃±２℃の冷風下で４０〜４５時間処理すると良い。
このようにして得た魚肉サラミは、魚特有の臭みを感じることなく皮ごと通常のサラミと同じような感触で食べることができるものであった。
【図面の簡単な説明】
【０００７】
【図１】  魚肉サラミ製造工程図
【図１】
2007275039.tif 000003
(57)【要約】      （修正有）【課題】ワカサギ等小魚釣りにおいて、釣り人が一番苦手とする、釣り針から魚を外して器に入れる動作、手に臭いが付く、手の感触が悪い、手が汚れる、手に針が刺さる、手返しが悪い、などの問題を一気に解消でき簡単な構造で、手軽に使える素手で触ることなくワカサギ等小魚を釣り針から取って集める器ワカサギ収集器  ワカサギ・キャッチャーを提供する。【解決手段】釣ったワカサギ２の下のオモリ１を、手で持ちガイドライン３から溝４にワカサギ２の付いたハリス５を、素早く誘導してオモリ１を軽く上に持ち上げれば簡単に外れ下の水槽６に落ち、泳いでいるうち泥を吐き出してきれいになる、当然手返しも早くなる、釣ったワカサギ等小魚を素手で触る事なく、この課題を全て解決できる構造。【選択図】図１
2007275038.tif 000002
【特許請求の範囲】
【請求項１】
ワカサギ等小魚釣りにおいて釣り上げたワカサギ等小魚を素手で触る事なく、ワカサギ等小魚の釣り針が外れ下部の水槽に収集できる事を特徴とするワカサギ収集器（ワカサギ・キャッチャー）
【請求項２】
請求項１の素手で触る事なく、とは、上部にワカサギ等小魚が抜け出ない溝を設け、暴れるワカサギ等小魚がスムーズに溝に誘導する為のガイドラインを設け、また、釣り針が引っ掛からない用に上部を三角状にして後ろに補助板を設けその空間を利用し取手にしたのが特徴とする請求項１に記載の  ワカサギ収集器
【請求項３】
請求項１の釣り針が外れ、とは、釣ったワカサギ等小魚のハリスを上部の溝に誘導してオモリを上に、引き上げると、ワカサギ等小魚から釣り針が外れワカサギ等小魚が下部の水槽に収集でき又底下に氷面でも本体が滑らない用に突起物、滑り止め、を設けた、請求項１に記載の  ワカサギ収集器
【発明の詳細な説明】
【発明の詳細な説明】
【技術分野】
【０００１】本発明は、釣ったワカサギ等小魚を素手で触る事なく外し下部水槽に収集出来る器である。
【背景技術】
【０００２】従来、ワカサギであれ、小魚であれ、釣った魚は、片方の手で魚を押さえ、もう片方の手で釣り針を外すのが、釣り人の作業であった。
【発明が解決しようとする課題】
【０００３】全国的なブームを呼んでいる、ワカサギ釣りに女性の方や子供の釣り人が多くなった昨今、次のような問題点があった。
（イ）素手で触ると、魚の臭いが取れない。
（ロ）ヌルヌルで、なかなか、釣り針を外せない。
（ハ）指の汚れ、爪の中に汚れが入って取れない。
（ニ）釣り針が手や衣類に刺さる。
（ホ）手返しが悪く数が伸ばせない。
本発明はこれらの問題点を解決するためになされたものである。
【問題を解決するための手段】
【０００４】本来ワカサギは、プランクトンを食べているため又口が小さいから、釣り針に付いた餌を口に入れるが飲み込むことはなく針掛かりが浅く、軽く引っ張れば、簡単に外れる、ここに注目したのが、本発明である、釣ったワカサギ１の、下のオモリ１を手で持ち、入口のガイドライン３から、溝４にワカサギの付いたハリス５をすばやく誘導して上に軽く持ち上げれば外れる。
外れたワカサギは下部の水槽部６に落ちて泳いでいるうちに泥を吐き出してきれいになる。よて、釣ったワカサギ等小魚を素手で触る事なく、でこの問題はすべて解決できる。当然手返しも早くでるようにした事を特徴とするものである。
【発明を実施するための最良の形態】
【０００５】本発明を使用する時は、水槽６に水を入れておきワカサギ等小魚が釣れたら片方の手で竿を持ち上げ、もう片方の手でオモリ１を持ち暴れるワカサギ等小魚を、ワカサギ収集器のガイドライン３から、溝４にワカサギの付いたハリス５を、すばやく誘導してオモリ１を上に軽く引き上げれば、ワカサギ２の頭部が溝に引っ掛かり、エサの付いたままの針が外れ、下の水槽６に落ちる、水槽に入ったワカサギは泳いでいるうちに泥を吐き出しきれいになる
（イ）暴れたワカサギ２が溝４に入りやすいようにガイドライン３を作る、
（ロ）エサの付いた針が余裕で通れて、ワカサギ２の頭部が通り抜けられない程度の、３〜４ｍｍの溝４を作る、
（ハ）オモリ１を上に持ち上げた時、ワカサギ２の付いた針が、器の内側に引っ掛からない用に、上部内を三角形７にして後部に補助板８を設け、勢いあまったワカサギ等小魚がスムーズに溝４に誘導できる構造にする、又、溝４の内側も角を取り丸みを付ける
（ニ）氷面に置いても、器が滑らないように突起物、滑り止め９を設け、本体後部と補助板の間を利用して取手１０を設けたもの、
【発明の効果】
【０００６】この発明によって、ワカサギ等小魚の、釣り人が一番苦手とする釣り針から魚を外して、器に入れる動作、手に臭いが付く、手がヌルヌルする、手が汚れる、手に針が刺さる、手返しが悪い、等の問題を、素手で触ることなく解消できる。
【図面の簡単な説明】
【０００７】
【図１】この発明の一実施形態を示す斜視図
【図２】この発明の後部斜視図
【符号の説明】
１オモリ    ２ワカサギ    ３ガイドライン    ４溝
５ハリス    ６水槽    ７三角形    ８補助板    ９滑り止め
１０取手    １１エサ
【図１】
2007275038.tif 000003
【図２】
2007275038.tif 000004
(57)【要約】【課題】この発明は、犬の散歩中に排泄された糞を、手押し式の道具で取込む事の出来る、犬の糞とり機を提供する。【解決手段】収納箱に車輪と羽根車を取付け、手動により糞を取込む犬の糞とり機である。【選択図】図１
2007275046.tif 000002
【特許請求の範囲】
【請求項１】
犬の散歩中に排泄する糞を、手押し式の羽根車で取り込むことの出来る、犬の糞とり機で収納箱にハンドル、本体に車輪と羽根車を取り付ける事で、手動にて車輪を回転させ糞を収納箱に取り込む犬の糞とり機。
【請求項２】
ハンドルを持ち上げる事により、収納部本体が垂直に回転し、羽根車で取り込んだ糞をあらかじめセットしたビニール袋の中に、収納できる犬の糞とり機。
【請求項３】
収納箱中央部に開口部を設け、糞が収納されたビニール袋を手を汚さずに取り出す事の出来る犬の糞とり機。
【発明の詳細な説明】
【技術分野】
【０００１】  この発明は、犬の散歩中に排泄する糞を、手押し式の羽根車で収納箱に取り込む事の出来る、犬の糞とり機に関するものである。
【背景技術】
【０００２】  従来、犬の排泄物の処理は、バケツにスコップやビニール袋によりしゃがんで、手で処理していた。
【発明の開示】
【発明が解決しようとする課題】
【０００３】  そのために、次のような問題点が生じていた。
（イ）片手に犬の紐、バケツを持って動きまわる犬を引きながらスコップで、しゃがんで処理するのに苦労した。
（ロ）ビニール袋での処理は、直接感触が伝わり不快感があった。
本発明は、以上の問題点を解決したものである。
【課題を解決するための手段】
【０００４】  収納箱に車輪と羽根車を取付け、車輪を回転させることにより、糞を取込む事の出来る、犬の糞とり機である。
【発明の効果】
【０００５】  したがって、犬の散歩中の糞の処理は、立ったまま転がすだけで収納箱に糞を取り込めるので、しゃがんだり手で触る不快感を解消できた。
【発明を実施するための最良の形態】
【０００６】  以下、本発明の実施の形態について説明をする。
（イ）収納箱（２）に車輪（３）と羽根車（４）を取り付ける。
（ロ）収納箱（２）にハンドル（１）を取り付ける。
（ハ）収納箱（２）の中にビニール袋（５）を取り付ける。
本発明は以上の構成からなる、犬の糞とり機である。
以下、使用法について説明する。
犬の糞の手前に、ハンドルで収納箱をセットし、車輪を回転させることにより、羽根車も回転し、糞を収納箱に取込む。そして本体を持ち上げることにより、あらかじめセットしたビニール袋に収納され、手も汚さずに立ったまま処理できる犬の糞とり機
【図面の簡単な説明】
【０００７】
【図１】  本発明の斜視図
【図２】  本発明の一部断面図
【図３】  本発明の使用説明図
【図４】  本発明の羽根車斜図
【符号の説明】
【０００８】  １、ハンドル
２、収納箱
３、車輪
４、羽根車
５、ビニール袋
６、犬の糞
【図１】
2007275046.tif 000003
【図２】
2007275046.tif 000004
【図３】
2007275046.tif 000005
【図４】
2007275046.tif 000006
(57)【要約】【課題】犬や猫に帽子等をかぶせるには耳がジャマになり大変難しかった。このような課顆を解決するために本発明品を提供する。【解決手段】帽子の両側面に耳の入る穴または半円を開ける。耳の形に応じて円の周りにゴムを入れたり半円にして弾性材、ひも、ベルト、マジックテープ等を使用して装着する。【選択図】図１
2007275045.tif 000002
【特許請求の範囲】
【請求項１】
耳を利用して装着する犬猫等ペット用の帽子（野球帽、麦藁帽子、ハンチング、ソフト）及びサンバイザー、ヘルメット。
【発明の詳細な説明】
【技術分野】
【０００１】この発明は犬猫の耳を利用して装着する犬猫等ペットの帽子
【技術背景】
【０００２】従来は、このように装着できるものはなかった。
【発明の開示】
【発明が解決しようとする課題】
【０００３】犬や猫に帽子等をかぶせるには耳がジャマになり大変難しかった。
【課題を解決するための手段】
【０００４】帽子の側面に耳の入る穴を開け、犬種の耳の形状にに応じて弾性材またはゴム、ベルト、ひも、マジックテープ等を使用して装着する
【発明の効果】
【０００５】耳を通すので帽子がずれたり落ちたりしないで装着できる。
【発明の実施をするための最良の形態】
【０００６】以下、本発明の実施の形態について説明する。
イ帽子の両側面に耳の入る穴または半円を開ける。
ロ耳の形に応じて円の周りにゴムを入れたり、半円にして弾性材、ひも、ベルト、マジックテープ等を使用する。
【実施例１】
【０００７】帽子の両側面に耳の入る穴または半円を開ける。耳の形に応じて円の周りにゴムを入れたり半円にして弾性材、ひも、ベルト、マジックテープ等を使用して装着する。
【図面の簡単な説明】
【０００８】
【図１】本発明の断面図である。
【図２】本発明の断面図である。
【図３】本発明の断面図である。
【符号の説明】
【０００９】  １帽子
２耳を通す穴
３ゴム
４耳を通す半円
５ひも、またはベルト、マジックテープ
６または弾性材
【図１】
2007275045.tif 000003
【図２】
2007275045.tif 000004
【図３】
2007275045.tif 000005
(57)【要約】      （修正有）【課題】従来のポテトチップスより低カロリー・糖分控えめ・高栄養価でありながら風味・食感が従来のポテトチップスとほぼ変わらないスナック菓子を製造・提供する。【解決手段】従来のポテトチップスと同様の菓子製造過程に、原材料として大豆製品のおから（うの花）を使用することにより課題を解決している。【効果】消費者の美容・健康・ヘルシー志向に対応し且つ風味・食感の上でも消費者の嗜好に合致した商品が低コストで製造可能となる。【選択図】図２
2007275047.tif 000002
【特許請求の範囲】
【請求項１】
従来のポテトチップス（粉末じゃがいも使用型）のじゃがいもの代わりに大豆製品のおから（うの花）を使用したスナック菓子
【発明の詳細な説明】
【技術分野】
【０００１】  本発明は、おからを用いたスナック菓子の製造方法に関するものである。
【背景技術】
【０００２】  従来のスナック菓子は高カロリー・糖質過多のものが多く、この点を改善しようとしてもせいぜい使用する油を変えて多少カロリーを抑える程度であり、糖質量は抑えられなかった。また他にも様々な要因により消費者の美容・健康・ヘルシー志向に対応した商品製造にも限度があった。
【発明の開示】
【発明が解決しようとする課題】
【０００３】  従来のスナック菓子は主な原材料にじゃがいも（ばれいしょ）、とうもろこし等の炭水化物を使用しており特にじゃがいも（ばれいしょ）を使用した場合高カロリー・糖分過多になる場合が多かった。そのためこれまでにも消費者の美容・健康・ヘルシー志向に対応した製品として原材料の穀類の代わりにごぼうやゴーヤ、こんにゃくを使用した商品等もあったが、風味や食感が穀類を用いた製品とは大きく異なるものであった。このため低カロリー・糖分控えめ・高栄養価ながら風味や食感が従来のスナック菓子に近く消費者の嗜好に合う商品の開発が菓子メーカー側の大きな課題であった。従って原材料のじゃがいも（ばれいしょ）の代わりに大豆製品のおから（うの花）を使用することにより従来のポテトチップスやその他スナック菓子類より低カロリー・糖分控えめ且つ高栄養価となり、また風味・食感も従来のポテトチップスとほぼ変わらないものが製造可能となる。このようにして前述の欠点を解消しようとするものである。
【課題を解決するための手段】
【０００４】  本発明は、スナック菓子製造に大豆製品のおから（うの花）を原材料として使用することにより問題点を解決している。
【発明の効果】
【０００５】  上述のように、本発明のポテトチップス風おからチップスは従来のポテトチップス他スナック菓子よりも低カロリー・糖分控えめ且つ高栄養価である。また風味や食感も従来のポテトチップスに極めて近いものが製造可能である。さらにおから（うの花）は原材料費が安く供給料も安定しており、菓子原材料として使用した場合製造コストを抑えることも可能である。このため消費者の美容・健康・ヘルシー志向に対応し且つ風味の上でも消費者の嗜好に合致した商品が低コストで製造可能である。
【発明を実施するための最良の形態】
【０００６】  従来のポテトチップス（粉末じゃがいも使用・成形型）の原材料の代替品として大豆製品のおから（うの花）とでんぷん質（コーンスターチ、片栗粉等）を使用して製造する。その他材料、製造方法に関しては基本的に従来のポテトチップス（粉末じゃがいも使用型）に同じだが必要に応じて適宜変更可能である。
【実施例】
【０００７】  以下、添付図面に従って一実施例を説明する。図１は製品の形状を図示したものである。当該製品の形状に関してはチップス型（薄く平らな円・楕円形）スティック型（棒状）他のうち適切なものを採用する。また機何学模様型やキャラクター型他に関しても著作権・意匠権等の問題が発生しない限り適宜採用可能である。また他にも適切、利便性の高いデザインがあった場合適宜変更可能である。【０００８】  当該製品の原材料に関しては基本的には従来のポテトチップス（粉末じゃがいも使用・成形型）とほぼ同じだが、じゃがいも（ばれいしょ）の代わりに大豆製品のおから（うの花）を使用する。またおから（うの花）のみではチップス状、スティック
2007275047.tif 000003
粉等）を使用する。尚、使用するでんぷん質に関しては適切なものがあった場合適宜変更可能とする。【０００９】  図２は当該製品のパッケージの形状の一例を図示したものである。当該製品のパッケージに関しては従来の袋型・筒型・カップ型他のうち適切なものを採用する。また他にも当該製品との兼ね合いや製造・輸送・陳列等流通経路上の利便性の高いものがあれば適宜変更可能である。【００１０】  当該製品パッケージの寸法・材質・デザインに関しては基本的にはスナック菓子類をはじめ既存の類似商品に準ずるものとするが、適切なものがあれば適宜変更可能である。【００１１】  当該製品パッケージの形状・寸法・材質・デザインその他の要素に関しては、いずれも必ず特許権・著作権・意匠権その他の権利問題が一切発生しないもののみ採用可能とする。【００１２】  当該製品の製法に関しては、基本的に従来のポテトチップス（粉末じゃがいも使用型）と同じとする。ただし必要に応じて適宜変更可能である。【００１３】  当該製品の製法、および商品名をはじめとするパッケージ記載内容に関しては、いずれも特許権・商標権・著作権・意匠権その他の権利問題が一切発生しないもののみ採用可能とする。
【図面の簡単な説明】
【００１４】
【図１】  本発明のポテトチップス風おからチップスの形状の一例を図示したものである。
【図２】  本発明のポテトチップス風おからチップスのパッケージの形状の一例を図示したものである。
【符号の説明】
【００１５】  １    ポテトチップス風おからチップス  形状の一例  チップス型
２    ポテトチップス風おからチップス  形状の一例  スティック型
３    ポテトチップス風おからチップス  パッケージ  形状の一例  袋型
４    ポテトチップス風おからチップス  パッケージ  形状の一例  筒型
【図１】
2007275047.tif 000004
【図２】
2007275047.tif 000005
(57)【要約】【目的】この発明は納豆から水納豆を作くる製造方法に関するもので有る【構成】納豆から水納豆、水納豆から水納豆アイスを製造する【選択図】なし【特許請求の範囲】
【請求項１】
出来上りの納豆を豆乳に浸して美味しい成分だけを取り込んで作くる納豆及び納豆菌成分の水納豆
【請求項２】
水性納豆を凍らしかくはんして作る、水納豆アイス
【発明の詳細な説明】
【発明の詳細な説明】
【産業上の利用分野】
【０００１】  本発明は出来上りの納豆を豆乳に浸して作る水納豆を凍らしかくはんして製造する水納豆アイスに関するものである。
【背景技術】
【０００２】豆乳に納豆をすり潰して、まぜて水納豆を作くていた〔特願平１１−１７３０８６〕この為納豆臭が強く味も悪かった
【課題を解決しょうとする課題】
【０００３】本発明はその欠点を無くし風味の良い水納豆食品を開発する事に努力した。
【課題を解決する為の手段】
【０００４】  その結果納豆の外側の成分に美味が集っている事を発見し納豆をかくはんして外側の成分を集め豆乳に浸し豆だけをこすと美味成分の水納豆が出来る事で解決を見た。
【作用】
【０００５】本発明の水納豆は美味しい成分だけを取り入れる事で飲みやすく口当りの良い食品と変化した
【実施例】
【０００６】出来立ての納豆を、す早やく混ぜて豆乳を入れて又混合し美味成分を豆乳に溶かし豆をこすと水納豆が出来るこれを凍らしかくはんする事で水納豆アイスを製造する
【発明の効果】
【０００７】以上の例において口当りの良い風味豊かな水納豆及び水納豆アイス食品が生れた。